(57)【特許請求の範囲】
【請求項１】
外皮と内皮との間に気室が形成されている筒状の加圧チューブと、この加圧チューブの気室に空気を注入するための空気注入口と、前記加圧チューブの外皮の外周に載置した補修材とを備え、前記空気注入口から前記気室に空気を注入して前記加圧チューブを径内外方向に膨張させて前記補修材を管路内面に圧着させることができる管路内面の補修装置において、
前記加圧チューブの筒状の内側に複数の短型パイプを有し、この複数の短型パイプが前記加圧チューブの長さ方向に一定の間隔を有して配置され、
前記加圧チューブは、前端部及び後端部にそれぞれ、基端から外皮よりも大径の部分を経て先端に至るまで稜線のないほぼ球体の形状に形成された中空の球体部を有し、当該球体部には牽引部および牽引体が設けられていることを特徴とする管路内面の補修装置。
【請求項２】
牽引体は３本以上の紐部材にて構成されている請求項１記載の管路内面の補修装置。
【請求項３】
前記複数の短型パイプのうち前端及び後端に配置された短型パイプは、それぞれ第１結合部を有し、また、前記球体部の中空部分に中空パイプが設けられ、この中空パイプは、前記第１結合部と結合する第２結合部を有している請求項１又は２記載の管路内面の補修装置。
【請求項４】
請求項１〜３のいずれか１項に記載の管路内面の補修装置を用いた管路内面の補修工法であって、以下の工程（１）〜（３）を含むことを特徴とする管路内面の補修工法。
（１）  加圧チューブを空気注入前の収縮状態で管路に挿入し、管路内の補修箇所に配置する工程
（２）  空気を注入し前記加圧チューブを膨らませる工程
（３）  前記加圧チューブの外皮の外周に載置した補修材を管路内面に圧着させる工程
【発明の詳細な説明】
【技術分野】
【０００１】
本発明は管路内面に発生した亀裂や孔等を補修する管路内面の補修装置及び管路内面の補修工法に関する。
【背景技術】
【０００２】
従来、地中に埋設してある電線管や小型の下水管等の既設管路に亀裂や孔等が発生した場合には、地表より掘削して不良個所の修理や交換等をしていた。
又、近年では、小型のテレビカメラを管路内にマンホールより挿入して内面から不良個所を発見する技術が開発され、この技術により不良個所の発見と不良状態の検査が可能となっており、又、管路内面からの更生技術も開発されている。この補修工法を一般に管路内面補修工法と呼んでいる。
【０００３】
この管路内面補修工法の１つとして、図９に示す補修装置３０を用いた方法が知られている。この補修装置３０は、内部に空気を注入できる筒状体３１と、筒状体３１に空気を注入するための空気注入口３１ａと、剛性の組み立てることができる管状体（３２−１，３２−２，３２−３）とを備えている。
また、補修装置３０を用いた補修工法では、先ず、空気を注入する前の収縮状態の筒状体３１をマンホールより既設管路内に挿入し、次に、管状体（３２−１，３２−２，３２−３）を筒状体３１の中心部に順に挿入していく。そして、管状体（３２−１，３２−２，３２−３）を一体的に組み立てた後、既設管路内で空気を注入して筒状体３１を膨らませ、筒状体３１の外周に載置した補修材（図示省略）を既設管路内面に生じた亀裂や孔等の損傷部分に圧着させ、補修することができる。
【０００４】
この場合、筒状体３１を膨らませたとしても、管状体（３２−１，３２−２，３２−３）の内側が空洞になるので、既設管路内の水等の流路を確保することができる。
また、管状体（３２−１，３２−２，３２−３）は、マンホールより既設管路内に挿入可能な長さにそれぞれ設定され、しかも、一体的に組み立てられた管状体（３２−１，３２−２，３２−３）の総延長が筒状体３１の長さと略同等に設定されている（特許文献１）。
【０００５】
【特許文献１】特開２００４−３６６６５号公報
【発明の開示】
【発明が解決しようとする課題】
【０００６】
上記従来の管路内面の補修装置では、筒状体及び複数の管状体がそれぞれ分離された部材であり、管路内面の補修の際、筒状体の中心部に複数の管状体を順に挿入し、既設管路内で複数の管状体を一体的に組み立てる作業が必要になる。
このため、補修に取り掛かるための準備作業の負荷が高く、準備に時間が掛かるという問題を有している。しかも、補修後においては、組み立てられた複数の管状体を分解して取り出す作業が必要になり、その撤収作業の負荷も高くなっている。
さらに、一体的に組み立てられた複数の管状体が直線形状になるため、曲がり部を有する、例えば、宅内桝の取付管などの場合、補修できないという欠点もある。
【０００７】
本発明は、このような問題点に鑑み、補修における準備及び撤収の作業負荷を軽減し、補修作業の効率化を図ることができるとともに、曲がり部を有する管路の補修ができる管路内面の補修装置を提供することを目的とする。
【課題を解決するための手段】
【０００８】
本発明は、外皮と内皮との間に気室が形成されている筒状の加圧チューブと、この加圧チューブの気室に空気を注入するための空気注入口と、前記加圧チューブの外皮の外周に載置した補修材とを備え、前記空気注入口から前記気室に空気を注入して前記加圧チューブを径内外方向に膨張させて前記補修材を管路内面に圧着させることができる管路内面の補修装置において、前記加圧チューブの筒状の内側に複数の短型パイプを有し、この複数の短型パイプが前記加圧チューブの長さ方向に一定の間隔を有して配置され、前記加圧チューブは、前端部及び後端部にそれぞれ、基端から外皮よりも大径の部分を経て先端に至るまで稜線のないほぼ球体の形状に形成された中空の球体部を有し、当該球体部には牽引部および牽引体が設けられていることを特徴とする。
【０００９】
本発明の管路内面の補修装置によれば、複数の短型パイプが加圧チューブの内側に一定の間隔を有して配置され、加圧チューブと複数の短型パイプが一体型に形成されているので、補修の際に、複数の短型パイプを加圧チューブに挿入、及び、組み立てる必要がない。
したがって、管路内面の補修における準備及び撤収の作業負荷が軽減でき、補修作業の効率化を図ることができる。
また、この加圧チューブは、その長さ方向の一方端から他方端に亘って、短型パイプを有する部分と、短型パイプを有していない部分とが交互に並べられた状態とされている。しかも、加圧チューブの内側が空洞になるため、既設管路内の水等の通水経路とすることができる。
【００１０】
この場合、空気を注入する前の収縮状態の加圧チューブでは、短型パイプと短型パイプとの間における加圧チューブの外皮及び内皮が変形自在になるので、加圧チューブを管路の経路に対応させて湾曲変形させることができる。
したがって、曲がり部を有する管路であっても加圧チューブを挿入することができる。しかも、挿入後、空気を注入して加圧チューブを膨らませば、加圧チューブの外皮を当該曲がり部の内面に当接することができる。
これによって、加圧チューブの外皮の外周に載置した補修材を当該曲がり部に生じた亀裂や孔等の損傷部分に圧着させ、補修することができる。
【００１１】
上記の管路内面の補修装置において、前記加圧チューブの外皮は、その外周表面に離型処理材が付されているのが好ましい。
この場合、離型処理材によって、外皮とその外周面に載置した補修材との剥離性を向上することができる。これによって、当該補修材の全部又は一部が加圧チューブの外皮から剥離できないということがなくなる。つまり、管路内面に圧着させる当該補修材にバラツキが生じるのを防止することができる。
【００１２】
上記の管路内面の補修装置において、前記短型パイプは、空気を注入して膨らませた加圧チューブの圧力に対応できる強度を有するものであれば、その材質は特に限定されるものではないが、例えば、セラミック、プラスチック、又は、金属の素材より構成することができる。
また、前記加圧チューブの内皮は、空気を注入して膨らませた加圧チューブの圧力に対応できる強度を有し、かつ、管路の経路に対応して変形可能な変形特性を有するものであれば、その材質は特に限定されるものではないが、例えば、ゴム布、塩ビシート、又は、合成布の素材より構成することができる。
【００１３】
上記の管路内面の補修装置において、前記加圧チューブは、前端部及び後端部にそれぞれ中空の球体部を有し、さらに、この球体部の中空部分の前後方向が開口されているのが好ましい。
この場合、加圧チューブの管路への挿入、又は、管路からの取出しでは、加圧チューブの先頭が球体部になる。このため、球体部が管路内面に引掛かることはないので、加圧チューブの挿入、又は、取り出し作業が容易になる。
また、前後方向に開口した球体部の中空部分を通水経路にすることができるので、前端部及び後端部に球体部を有する加圧チューブを既設管路に挿入した場合でも、既設管路内の水等を流すことができる。
【００１４】
上記の管路内面の補修装置において、前記複数の短型パイプのうち前端及び後端に配置された短型パイプは、それぞれ第１結合部を有し、また、前記球体部の中空部分に中空パイプが設けられ、この中空パイプは、前記第１結合部と結合する第２結合部を有しているのが好ましい。
この場合、第１結合部と第２結合部を結合することにより、加圧チューブの前端及び後端の短型パイプと球体部がそれぞれ連結できるので、加圧チューブへの球体部の装着が容易になる。
【００１５】
上記の管路内面の補修装置において、前記加圧チューブは、管路内での空気注入による過膨張を防止する過膨張防止カバーを前端部及び後端部にそれぞれ有しているのが好ましい。
この場合、過膨張防止カバーが加圧チューブの前方及び後方への膨張を制限するので、加圧チューブの前端部及び後端部が過膨張することによって破裂するのを防止できる。
【００１６】
また、本発明は、上記の管路内面の補修装置を用いた管路内面の補修工法であって、以下の工程（１）〜（３）を含むことを特徴とする。
（１）加圧チューブを空気注入前の収縮状態で管路に挿入し、管路内の補修箇所に配置する工程
（２）空気を注入し前記加圧チューブを膨らませる工程
（３）前記加圧チューブの外皮の外周に載置した補修材を管路内面に圧着させる工程
【００１７】
本発明の補修工法によれば、加圧チューブを空気注入前の収縮状態で管路内の補修箇所に配置させ（工程（１））、その後、空気を注入し加圧チューブを膨らませ（工程（２））、加圧チューブの外皮の外周に載置した補修材を管路内面に圧着させる（工程（３））ので、曲がり部を有する既設管路であっても加圧チューブを挿入することができる。
また、管路内の補修箇所に配置させてから加圧チューブを膨らませるので、曲がり部に生じた亀裂や孔等の損傷部分に対して補修材を圧着させ、補修することができる。
【発明の効果】
【００１８】
以上の通り、本発明によれば、加圧チューブと複数の短型パイプとを一体型とし、さらに、加圧チューブを湾曲変形可能に構成したので、補修における準備及び撤収の作業負荷が軽減でき、補修作業の効率化が図れるとともに、曲がり部を有する管路に対しても管路内面の補修をすることができる。
【発明を実施するための最良の形態】
【００１９】
本発明は管路内面の損傷、即ち、亀裂や孔等の損傷、特に長い管路内の損傷を一度に補修するための有効な補修装置であって、その内側に短型パイプを有する筒状の加圧チューブからなる装置において、該装置が大きく且つ長いものであっても、管路内に容易に挿入及び取り出しのできる装置であり、且つそれを用いて極めて容易に且つ安価に仕上がりよく補修することのできるものとするものである。
【００２０】
本発明を図面により説明する。
図１は、本発明の管路内面補修装置の側面図であり、図２は、本発明の管路内面補修装置の側面断面図である。また、図３は、本発明の管路内面補修装置の湾曲変形自在性を示す模式図であり、図４は、ボール型ヘッド（球体部）を外した状態の要部を示す側面断面図である。図５は、短型パイプの配列及び構造模式図であり、図６は、本発明のボール型ヘッドの内部構造模式図である。図７は、本発明の加圧チューブの両端部に設けた過膨張防止カバーの設置状態を示す斜視模式図である。
図中、１は管路内面補修装置、２０は加圧チューブ、２は加圧チューブの外皮、３は加圧チューブの内皮、４は外皮と内皮との間に形成された流体導入中間部（気室）、５は流体（空気）注入口、６は水を通水することのできる加圧チューブの中心中空部、７は短型パイプ、８はボール型ヘッド（球体部）、９はボール型ヘッドの中心部の中空パイプ、１０はホースバンド、１１はメス螺子又は差し込み式結合部（第１結合部）、１２はオス螺子又は差し込み式結合部（第２結合部）、１３は過膨張防止カバーである。また、Ｐは牽引部、Ｓは牽引体である。
本発明の補修装置により長い管路内面の補修を安全且つ容易に行うことができる。
【００２１】
図１、図２及び図４に示すように、管路内面補修装置１は、膨らむことのできる材質からなる加圧チューブ２０の外皮２及び内皮３と、内皮３に包まれた短型パイプ７との三層構造で構成されている。また、短型パイプ７が一定間隔に配置され、ゴム布、塩ビシート、又は、合成布等からなる内皮３で包み込まれ接着固定されている。
外皮２と内皮３とは、その長さ方向の両端がボール型ヘッド８の中空パイプ９にそれぞれ合体結着され、さらに、ホースバンド１０で緊結されている。これによって、外皮２と内皮３との間に形成された流体導入中間部４が密閉される。なお、図４では、ホースバンド１０が側面から見た状態で示されている。
この流体導入中間部４に空気等の流体を吹きこむことによって、加圧チューブ２０を膨らますことができる。
【００２２】
加圧チューブ２０を構成する外皮２の素材は、高分子弾性体又は強化高分子弾性体からなり、例えば天然ゴム、各種合成ゴム、又はプラスチック製のものであり、例えば、ゴム又はプラスチック被覆不織布からなるものが用いられる。
また、ゴムとしては、天然ゴム、合成ゴムの何れも用いることができ、これら合成ゴム又はプラスチックとしては耐蝕性合成ゴムが用いられ、超高分子ポリエチレン（ハイパロン、デュポン社製）、クロロスルホン化ポリエチレン（ＣＳＭ）、合成シリコンゴム、合成材料引帆布等の寸法型状安定性のある材質で作られたチューブが好ましく用いられる。該チューブの外表面は、シリコンなどで離型処理がなされたものが好ましい。
【００２３】
本発明の管路内面補修装置１は、加圧チューブ２０の内側に、その長さ方向に一定間隔に複数の短型パイプ７が配置されることによって、加圧チューブ２０が湾曲変形可能に構成されていることに特徴を有するものである。
この場合、短型パイプ７は、マンホールより既設管路内に挿入可能な長さ寸法に設定されたものであるため、管路内に容易に挿入できる。
また、一定間隔に配置された短型パイプ７間における加圧チューブ２０の外皮２及び内皮３が変形自在になるので、従来のような短型パイプが一体的に組み立てられたものと違って、管路の経路に対応して加圧チューブ２０を湾曲変形させることができる。
【００２４】
しかも、加圧チューブ２０は、ゴム又は軟質・軟性のプラスチック製のものであるため、加圧チューブ２０の内側に短型パイプ７が無ければ、流体導入中間部４に流体、即ち液体や気体、通常は空気を注入し膨らませたとき、その内圧により、加圧チューブ２０の内側の中心中空部６が圧されて閉塞されてしまう。
この場合、加圧チューブ２０の内側に複数の短型パイプ７を配置することによって、中心中空部６が閉塞するのを防ぐと共に、管路中の水等の流体の流通を計ることができる。
これによって、管路内の作業の効率をよくし、危険性をも防止することができると共に、加圧チューブ２０の外皮２の外周部に強い圧力を加えることができ、外皮２の外周に載置した補修材（図示省略）をより強く管路内面に圧着できるものとなるのである。
【００２５】
図２、図４に示すように、短型パイプ７は、内皮３に接着固定されている。内皮３に接着固定されているものは、普通の形状の短型パイプであり、空気を注入し膨らませた加圧チューブ２０の圧力に対応できる強度を有している。
加圧チューブ２０の両端部に配置された短型パイプ７は、その両端部側にメス螺子又は差し込み式結合部１１が設けられている。
又、加圧チューブ２０の両端部には、図１乃至図３に示すように、管路への挿入、取出しを容易にするためのボール型ヘッド８が設けられている。
【００２６】
図１、図２及び図６に示すように、ボール型ヘッド８は、基端から外皮よりも大径の部分を経て先端に至るまで稜線のないほぼ球体の形状に形成され、その中心部に設けられた中空パイプ９と、牽引部Ｐと、複数の紐部材からなる牽引体Ｓとを有している。
牽引体Ｓは、例えば、こいのぼりの口に取り付けられる紐のように、３本以上の紐部材で構成されるのが好ましい。なお、図１乃至図３に示すボール型ヘッド８、及び、後述する図８に示す変形例のボール型ヘッド８には、牽引部Ｐ及び牽引体Ｓが省略されている。
中空パイプ９の加圧チューブ２０側の端部には、オス螺子又は差し込み式結合部１２が設けられている。このオス螺子又は差し込み式結合部１２が短型パイプ７に設けられたメス螺子又は差し込み式結合部１１と嵌合され、ボール型ヘッド８と短型パイプ７とが嵌合結合されている。
これにより、加圧チューブ２０の内側に配置された短型パイプ７を管路内に固定することができる。更に、ボール型ヘッド８の中空パイプ９には、流体導入中間部４に空気等の流体を注入する流体注入口５が設けられている。
【００２７】
ボール型ヘッド８及び中空パイプ９の素材は、空気を注入し膨らませた加圧チューブ２０の圧力に対応できる強度を有するものであれば、その材質は特に限定されるものではないが、樹脂又は金属であることができ、例えば、合成樹脂では、硬質の塩化ビニル製のパイプが圧力に対する強度、硬さ及び軽さ等の点で好ましく用いられる。
また、加圧チューブ２０の内側において、その長さ方向に一定間隔に配置された短型パイプ７を内皮３で包むことにより、管路内面補修装置１自体も、例えば、図３に示すように、曲げて折畳みができるように、湾曲変形自在のものとなり、管路内への挿入、組立て及び取り出しが自由に容易にできるものとなる。
【００２８】
さらに、本発明の管路内補修装置１は、加圧チューブ２０の外皮２の素材がゴム又はプラスチック製のものであるので、過膨張を防止するために、ハイパロン、不織布等の伸縮しない補強材からなる過膨張防止カバー１３で補強した装置とされている。
この過膨張防止カバー１３は、図７に示すように、加圧チューブ２０の両端部において、一方端から他方端に向けて拡径された筒形状を有している。
しかも、過膨張防止カバー１３は、加圧チューブ２０の両端部において、図２及び図４に示すように、外皮２と内皮３とともにボール型ヘッド８の中空パイプ９に合体結着され、さらに、ホースバンド１０で緊結されている。
【００２９】
空気注入により加圧チューブ２０を膨らませる際、外皮２が管路内面に圧接してもなお空気の注入を続けると、加圧チューブ２０内の空気は前方及び後方へ逃げていくことになる。このため、加圧チューブ２０の前端部及び後端部が前方及び後方へと膨張を続け、最後には加圧チューブ２０が破裂してしまう。
そこで、加圧チューブ２０の両端部を、その長さ方向の前後方向から過膨張防止カバー１３で覆うことによって、加圧チューブ２０がその長さ方向の前方及び後方へ膨張するのを制限できるので、加圧チューブ２０が破裂するのを防止することができる。
【００３０】
上記構成を有する本実施形態の管路内補修装置１によれば、加圧チューブ２０と複数の短型パイプ７とを一体化したので、補修の際に複数の短型パイプ７を加圧チューブ２０に挿入、及び、組み立てる必要がなく、補修における作業負荷が軽減できる。
また、複数の短型パイプ７がその長さ方向に一定間隔に配置され、加圧チューブ２０が湾曲変形可能に構成されているため、曲がり部を有する管路であっても管路内面補修装置１を挿入することができる。
しかも、管路内の曲がり部において加圧チューブ２０を膨らませることができるので、曲がり部に生じた亀裂や孔等の損傷部分に対して、加圧チューブ２０の外皮２の外周に載置した補修材（図示省略）を圧着させ、補修することができる。
【００３１】
次に、補修工法について説明する。
先ず、空気を注入する前の加圧チューブ２０の収縮状態、つまり、図３に示す、管路内面補修装置１が湾曲変形自在な状態において、加圧チューブ２０の外皮２の外周に補修材（図示省略）を載置する。
そして、管路内面補修装置１を管路内に挿入し、管路内の補修箇所に管路内面補修装置１を配置する。
次に、流体注入口５より空気を注入して加圧チューブ２０を膨らませる。
これによって、加圧チューブ２０の外皮２の外周に載置した当該補修材を管路内面の亀裂や孔等の損傷部分に圧着させ、管路内面を補修する。
【００３２】
上記補修工法によれば、加圧チューブ２０と複数の短型パイプ７とを一体化した管路内面補修装置１を用いているため、補修の際に複数の短型パイプ７を加圧チューブ２０に挿入、及び、組み立てる必要がなく、補修における作業負荷が軽減できる。
また、湾曲変形自在となる加圧チューブ２０の収縮状態で管路内面補修装置１を管路内に挿入するので、曲がり部を有する管路であっても管路内面補修装置１を挿入することができる。
しかも、管路内の曲がり部に管路内面補修装置１を配置させてから加圧チューブ２０を膨らませることができるので、曲がり部に生じた亀裂や孔等の損傷部分に対して当該補修材を圧着させ、補修することができる。
【実施例】
【００３３】
次に図面を用いて、本発明の補修装置について、更に具体的に説明するが、これが本発明を限定するものでないことは云うまでもない。
実施例１
図２に示すように、本発明の管路内面補修装置１は、細長い管路内面の補修に適するものであり、細長い合成或いは天然ゴム等のゴム製或いは塩ビ等のプラスチック製の外皮２と伸縮性のある内皮３とからなる筒状の加圧チューブ２０を有している。
そして、外皮２と内皮３とで形成される流体導入中間部４に流体注入口５より空気等の流体を注入して加圧チューブ２０を膨らませ、その外周に載置する（図示していない）補修材を管路内面に押圧し、圧着補修するものである。
【００３４】
内皮３及び短型パイプ７の内側に形成される中心中空部６は、管路内の水を通すための通水経路となる。この通水経路となる中心中空部６には複数の短型パイプ７が配置されている。
この短型パイプ７は、加圧チューブ２０の長さ方向に一定間隔に配置され、内皮３に接着固定されている。
従来、加圧チューブは、ゴム又はプラスチック製のものであるため、空気を注入して加圧チューブを膨らますと、その内側の空洞が内圧により圧されて閉塞されてしまうが、加圧チューブ２０では、空気を注入して加圧チューブ２０を膨らましても、中心中空部６の内側に配置された複数の短型パイプ７により中心中空部６が閉塞するようなことがない。
【００３５】
しかも、複数の短型パイプ７が互いに一定間隔をおいて配置されているので、加圧チューブ２０が湾曲変形自在のものとなり、加圧チューブ２０の管路内への挿入及び取出しが極めて容易になる。
加圧チューブ２０の大きさは管路内面の大きさに応じて通常長さ８ｍ〜２０ｍ、径はφ５５ｍ／ｍである。
短型パイプ７の大きさは、加圧チューブ２０の中心中空部６の大きさに応じたものであり、長さ５ｃｍ、径φ５５ｍ／ｍのものである。
短型パイプ７は、長さ１ｍの間に１３個用いられ、各短型パイプ７の間は２．５〜３．０ｃｍで構成されている。
【００３６】
図５に示すように、加圧チューブ２０の長さ方向に一定間隔に配置された複数の短型パイプ７のうち、両端を除いた中間に配置された短型パイプ７には、通常の単なるパイプが用いられているが、その両端に配置された短型パイプ７には、その端部にメス螺子又は差し込み式結合部１１を設けたパイプが用いられている。
又、図１乃至図３に示されるように、加圧チューブ２０は、その両端部に管路内面補修装置１の移動を容易にするためのボール型ヘッド８が設けられている。
【００３７】
ボール型ヘッド８は、ほぼ球体の形状に形成され、その中心部に水を通すことのできる中空パイプ９が設けられている。中空パイプ９の加圧チューブ２０側の端部には、オス螺子又は差し込み式結合部１２が設けられている。このオス螺子又は差し込み式結合部１２が前記両端に配置された短型パイプ７のメス螺子又は差し込み式結合部１１と嵌合され、ボール型ヘッド８と前記両端に配置された短型パイプ７とが嵌合結合されている。
これによって、加圧チューブ２０の中空部６に配置された短型パイプ７が管路内に滞留できるものとする作用を併せ有するものである。
ボール型ヘッド８の大きさは、管路内面を移動できる大きさである。
【００３８】
管路内面の補修に当っては、加圧チューブ２０の内側に、その長さ方向に一定間隔に複数の短型パイプ７配置され、ボール型ヘッド８に設けられた中空パイプ９のオス螺子又は差し込み式結合部１２と加圧チューブ２０の両端に配置された短型パイプ７のメス螺子又は差し込み式結合部１１とが嵌合結合されている。
この加圧チューブ２０の外皮２の外周に補修材（図示省略）を載置し、そして、管路内面補修装置１を管路内に導入し、加圧チューブ２０の流体注入口５より空気を注入して膨らませ、加圧チューブ２０の外皮２の外周に載置した補修材（図示省略）を管路内面に圧着固定して補修した。
本願発明の管路内面補修装置１は、細長い管路内の挿入、取り出しが極めて容易に行われ、当該補修材の圧着固定が極めて仕上がりよくできるものであった。
【００３９】
加圧チューブ２０の外皮２の外周に載置する補修材（図示省略）は、樹脂を含浸した不織布或いは織布が用いられる。例えば、ガラス繊維、その他の炭素繊維、アラミド繊維等の強化材に、不飽和ポリエステル樹脂、エポキシ樹脂、エマルジョン系樹脂等エンジニアプラスチック樹脂である樹脂バインダー、特に水路での固着は水中硬化性樹脂（エポキシ系樹脂等）バインダー等、熱硬化性、或いは光硬化性樹脂、その他熱可塑性樹脂からなる樹脂バインダーを含浸させてマット状又は筒状体となしたものが使用される。
この補修材を構成する樹脂バインダー含浸マットの不織布シートの枚数及び種類は、必要に応じて種々のものを組合わせることができる。
具体的には、樹脂コーティングガラスクロス−ロービングクロス−ガラスクロスからなる積層シートに水中硬化性樹脂バインダーを含浸させたものが用いられる。
【００４０】
本発明の管路内面の補修装置は、湾曲変形自在のものであり、細長い管路内面の補修に用いることができ、しかも、その取り入れ、取り出しが自由に容易にでき且つその操作が簡単で、着実に管路内面の補修ができ、極めて有用性の高いものである。
【００４１】
図８は、ボール型ヘッド（球体部）８の変形例を示している。
この場合のボール型ヘッド（球体部）８は、曲げられた複数本の線状部材８ａからなり、この複数本の線状部材８ａが組み合わせられることによって、ほぼ球体の形状が形成されている。また、図８に示すボール型ヘッド（球体部）８は、その中心部に水を通すための中空パイプ９を有し、複数本の線状部材８ａは、中空パイプ９の周方向に所定間隔を有して配置されている。
すなわち、図６に示すボール型ヘッド（球体部）８では、その外周面が球体面を有しているのに対して、変形例の図８に示すボール型ヘッド（球体部）８では、複数本の線状部材８ａが所定間隔を有して球体面に沿うような形状に形成されている。
このように、ボール型ヘッド（球体部）８が複数本の線状部材８ａにより構成されることで、ボール型ヘッド（球体部）の軽量化を図り、弾力性を高めることができる。
その他の点については、図６に示すボール型ヘッド（球体部）８と異なるところはないので、詳細な説明は省略する。
【００４２】
なお、本発明は上記実施形態に限定されるものではない。
例えば、上記実施形態にいて、短型パイプ７の数は、加圧チューブ２０の長さ寸法等に応じて適宜変更可能である。また、一定間隔に配置された複数の短型パイプ７のうち、その両端の短型パイプ７の有するメス螺子又は差し込み式結合部（第１結合部）１１をメス螺子とし、中空パイプ９の有するオス螺子又は差し込み式結合部（第２結合部）１２をオス螺子としているが、それぞれがお互いに結合できればよいので、その結合部の構造は適宜変更可能である。
変形例に示すボール型ヘッド（球体部）８は、所定の強度及び弾力性を有していればよいので、ボール型ヘッド（球体部）８を構成する線状部材８ａの数は、適宜変更可能である。
このように、本発明の要旨を逸脱しない範囲において種々なる態様で実施し得る。
【図面の簡単な説明】
【００４３】
【図１】本発明の管路内面補修装置の側面図である。
【図２】本発明の管路内面補修装置の側面断面図である。
【図３】本発明の管路内面補修装置の湾曲変形自在性を示す模式図である。
【図４】ボール型ヘッド（球体部）を外した状態の要部を示す側面断面図である。
【図５】本発明の複数の短型パイプの配列及び構造模式図である。
【図６】本発明のボール型ヘッドの構造模式図である。
【図７】本発明の加圧チューブの両端部に設けた過膨張防止カバーの設置状態を示す斜視模式図である。
【図８】ボール型ヘッド（球体部）の変形例を示す構造模式図である。
【図９】従来の組立てることのできる短型パイプを中心部に設けた加圧チューブからなる細長の管路内面補修装置である。
【符号の説明】
【００４４】
１      本発明の管路内面補修装置
２      外皮
３      内皮
４      流体導入中間部（気室）
５      流体（空気）注入口
６      中心中空部
７      短型パイプ
８      ボール型ヘッド
９      中空パイプ
１０      ホースバンド
１１      メス螺子又は差し込み式結合部（第１結合部）
１２      オス螺子又は差し込み式結合部（第２結合部）
１３      過膨張防止カバー
２０      加圧チューブ
３０      従来の補修装置
３１      筒状体
３２      管状体
Ｐ      牽引部
Ｓ      牽引体
【図１】
0005232434.tif 000002
【図２】
0005232434.tif 000003
【図３】
0005232434.tif 000004
【図４】
0005232434.tif 000005
【図５】
0005232434.tif 000006
【図６】
0005232434.tif 000007
【図７】
0005232434.tif 000008
【図８】
0005232434.tif 000009
【図９】
0005232434.tif 000010